(57)【要約】【課題】野球・ゴルフその他、ボールを使用するスポーツで、省スペース・少人数で多種目に練習でき、練習ネットの設営から収納まで少人数でできる、多目的スポーツ機具の提供に関するものである。【解決する手段】吊りネットの平面にボールが当る作りで、そのボールの散乱防止の為、平面ネットの端を適宜サイズ、折り曲げ加工。そのネットの平面に丸型や四角型の複数の穴を設け、その穴の後方を袋状にしたネット（１）とそのネット（１）を取り付けられる移動可能な伸縮式アーム架台（２）、更に多目的に利用できるバッテリースタンド（３）とホームベース（４）とで構成され、利用・用途に応じてのネット張り設営から、そのネット及アーム架台の撤去・収納まで省スペースと少人数で利用できる構造を特徴とした、バッテリースタンドを添えた多目的スポーツネットを発明し、実用化か可能となった。【選択図】図１
2006340738.tif 000002
【特許請求の範囲】
【請求項１】
吊りネットの平面にボールが当る作りで、そのネットの平面に丸型や四角型の複数の穴を開け、その穴の後方を袋状にしたネット（１）と、そのネット（１）を取付けられる移動可能な伸縮式パイプ架台（２）、更に多目的に利用できるバッテリースタンド（３）とで、構成され、利用用途に応じてのネット張り設営からそのネット及パイプ架台の撤去収納まで、省スペースと少人数で利用できる構造を特徴とした、請求項１のバッテリースタンドを添えた多目的スポーツネット。
【請求項２】
平面ネット（１）の丸型、四角型の穴の後方は袋状で、網目の材質で作りボールの大きさにより、ファスナー式か紐でしぼる方法を選定して開閉され、用途に応じて着色し使い分けができる。パイプ式架台（２）は、上・下に必要に応じ伸縮式とし、少人数で設営から撤去・収納までできる構造を特徴とする請求項１に記載するバッテリースタンドを添えた多目的スポーツネット。
【請求項３】
平面ネット（１）に対比するバッテリースタンド（３）は伸縮し、ピッチャーとキャッチャーの両方の役目をする装置で、主柱パイプ上部をやや左曲げ加工した作りで、着脱と折れ曲げが可能で左右両方の利用ができ、収納がしやすく、その先に大小の球を専用の網に入れる方法か球の中央部に穴を開け、中通しで吊り下げるか、スポーツの用途と球の材質で決定。球は紐に取付けられたゴムで押さえ固定。スタンドから吊り下げた伸縮性の長紐は球を強打された時、適宜サイズ伸縮する作りで、請求項２に記載するバッテリースタンドを添えた多目的スポーツネット。
【請求項４】
伸縮式パイプ架台（２）と伸縮式バッテリースタンド（３）の倒れ防止には、重さに応じ土、砂、鉄粉、特殊素材の中から選定し、丸型、袋型でスポーツに合う作りとし、安全性と収納がしやすい構造を特徴とした、請求項３に記載するバッテリースタンドを添えた多目的スポーツネット。
【発明の詳細な説明】
【技術分野】
【０００１】
本発明は、吊りネットの平面にボールが当る作りで、その平面に丸型や四角型の複数の穴を設け、その穴の後方を袋状にしたネット（１）と、そのネット（１）を取付けられる移動可能な伸縮式パイプ架台（２）、更に多目的に利用できるバッテリースタンド（３）とで構成され、利用・用途に応じてのネット張り設営からそのネット及パイプ架台の撤去・収納まで省スペースと、少人数で利用できる構造を特徴とした、請求項１のバッテリースタンドを添えた多目的スポーツネットに関するものである。
【背景技術】
【０００２】
従来から野球・バスケット・バレーボールは、決められた人数でチームを組み、対戦チームとのポイントの取り合いには球を利用したものが主で、小型ボールではゴルフが一般的に大衆スポーツとして定着している。
【０００３】
しかし近年は、ボールを利用したスポーツも野球の他に永年親しまれていた、バレーボールやバスケットボールよりサッカーに興ずる人口が多くなるなど、スポーツの多様化が一段と進んでおり、種目では選手不足でチームが組みにくい状況にも及んでいる。
【０００４】
特に、近年では車・小型ボートのように高額品でのレーサースポーツの様に、アウトドアー型の趣味的なスポーツも多く、更にはコンピューターゲームの急速な進歩と普及により、子供の若年からの室内での利用も影響し、少人数のチームによる球を利用したスポーツ人口は年々少なくなっており、又、少年・少女の体力の低下も懸念されており、その為、少人数で省スペースの場所でも球やボールを使用した多目的スポーツができる、移動可能な補助ネットや１人でも投球練習と多目的なバッテリーができるバッテリースタンドの開発が急務である。
【０００５】
特に少年から老人までスポーツや室内ゲームの多様化と少子化の影響もあり、ますますチーム作りは困難で、特に日本国内で親しまれてきた野球やソフトボール・バスケットボール・バレーボールで、昔は公民館や小さな空地でも少人数でもチームを作り、対戦してボール遊びに興じていたが、人が集まらず最近はあまり見受けられない。その上この少人数でもボールを使用し、野球やソフトボールは又はゴルフ練習が出来る、安価な装置や器具が実用化されていないのも、スポーツ人口減少の一要因である。
【０００６】
従来機種としては、野球では自動で球が出る機械やゴルフ練習機では自宅でできる装置は、ゴルフボールをホールの穴に入れるのみの物や網を張ったパイプ式の物がある。これらは単純な練習の向上のみで、少人数でのチームプレーを楽しむ補助的な器具ではなく、設置しやすい実用的なチームプレー用多目的補助具の開発が望まれる。
【０００７】
この改善策として、野球やソフトボールでは１人での練習とチーム対戦でのキャッチャー補助が可能で、サッカーやゴルフでは個人練習が従来機よりボールや球の方向選定練習がより現実的に、多目的に省スペースで少人数で出来る特殊ネットとバッテリースタンド利用の方法がある。
【０００８】
本発明品は、多目的ネットを省スペースで利用する為、設営と収納をしやすくしたもので、従来にはない構造である。
【特許文献１】特開２０００−５１２８７１
【特許文献２】特開２００１−００９０７９
【特許文献３】実用新案公開平０５−００９５７４
【発明の開示】
【発明が解決しようとする課題】
【０００９】
解決しようとする問題点は、
イ、野球やソフトボール・ゴルフでも１人又は少人数で練習できる方法はないか。
ロ、狭い場所の広場や屋上でも練習又はプレーできる方法で、実在する機具では用途が限られ、単純な練習でもありもう少し多種目で高度なプレーができる方法はないか。
ハ、多種目に応用でき、実戦にも利用できる方法はないか。
ニ、ネットを利用していろいろな練習で高度な技術向上ができる方法はないか。
ホ、これらの用具・機具で１人か又は少人数で設営から撤去まで出来、更に省スペースに収納できる方法はないか。
本発明は、これらの欠点や課題を解決する為になされたものである。
【課題を解決するための手段】
【００１０】
請求項１の発明は、吊りネットの平面にボールが当る作りで、そのネットの平面に丸型や四角型の複数の穴を設け、その穴の後方を袋状にしたネット（１）とそのネット（１）と取付けられる移動可能な伸縮式パイプ架台（２）、更に多目的に利用できるバッテリースタンド（３）とホームベース（４）と構成され、利用・用途に応じてのネット張り設営からそのネット及パイプ架台の撤去・収納まで省スペースと、少人数で利用できる構造を特徴とした、請求項１のバッテリースタンドを添えた多目的スポーツネットを提供するものである。
【００１１】
請求項２の発明は、平面ネット（１）の丸型・四角型の穴の後方は袋状で、網目の材質で作り、ボールの大きさによりファスナーか紐でしぼる方法を選定して開閉され、用途に応じて着色し、使い分けができる。パイプ式架台（２）は上、下、と主柱及支柱パイプが必要に応じ伸縮式とし、少人数で設営から撤去・収納までできる構造を特徴とする、請求項１に記載するバッテリースタンドを添えた多目的スポーツネットを提供するものである。
【００１２】
請求項３の発明は、平面ネット（１）に対比するバッテリースタンド（３）は伸縮し、ピッチャーとキャッチャーの両方の役をする装置で、主柱パイプ上部をやや左曲げ加工した作りで、脱着、折れ曲げが可能で、左右両方の利用ができ、収納しやすく、その先に、大小の球を専用の網に入れる方法か球の中央部に穴を開け、中通しで吊り下げるか、スポーツの用途と球の材質で決定。球は紐に取付けられたゴムで押さえ固定。スタンドから吊り下げた伸縮性の長紐は球を強打された時、適宜サイズ伸縮する作りで、請求項２に記載するバッテリースタンドを添えた多目的スポーツネットを提供するものである。
【００１３】
請求項４の発明は、伸縮式パイプ架台（２）と伸縮式バッテリースタンド（３）の倒れ防止には、重さに応じ、土、砂、鉄粉、特殊素材の中から選定し、丸型、袋型でスポーツに合う作りとし、安全性と収納がしやすい構造を特徴とした、請求項３に記載するバッテリースタンドを添えた多目的スポーツネットを提供するものである。
【発明の効果】
【００１４】
本発明には次の効果がある。
イ、吊りネットの平面に丸型・四角型の複数の網付穴を施し、投球練習や球入れ練習ができ、１人でも少人数でもプレーできる。
ロ、狭い広場・ビルの屋上でも野球・ソフトボールのキャッチボール・投球練習・サッカーの足けりゴルフの高低への球打ちと、球が散乱する事なく練習ができる。
ハ、吊りネットを上下する事で、高度な技術練習が可能で、実戦プレーと少人数で多目的に応用出来る。
ニ、サイズによるが、基本は１人で機具の設営から撤去まででき、折りたたみ式で伸縮式であり、収納スペースも少なくて済む。
従って、１人か又は３〜４人の少人数でもこの吊りネットを使用すれば、多種の練習と実戦プレーも可能で、高度な技術練習も出来、設営・撤去も手軽に出来、体力の向上とスポーツ人口の増加に実用効果が得られる。
【発明を実施するための最良の形態】
【００１５】
以下本発明の一実施例を図によって説明する。
図１は本願発明の請求項１と２に該当するスポーツネットの正面姿図である。図２は請求項３に該当するバッテリースタンドの姿図である。
【００１６】
図１のスポーツネット・図２のバッテリースタンドは、同時に使用する方が高度な練習に向くが、別々でも利用はできる。
【００１７】
図３は、背面図である。全体のネット（網ともいう、以下省略）１の平面は、引っ張りロープ２によって吊り下げられ、その全体のネット１が平面になる様、少し重なり、引っ張りロープ四面平均に吊り下げられている。伸縮式主柱パイプ３は、特許請求項の項２で、左右、1本づつの配置となっており、ネット１の支えで、ネットの網カゴ付の穴が４−１〜４−５あり、四角穴５が１ヶ施してある。丸穴のサイズは自由に設定でき、特にサッカーボールやゴルフボールの方向練習用で、バスケットボールとバレーボールの球打ちにも利用できる。
【００１８】
ネット１の中央下部の四角穴５は、主に野球のキャッチャーの役目をするもので、四角のネット穴のサイズはストライクゾーンも兼ねており、チームプレーの野球やソフトに使いやすい。又、１人での球５〜６個持ち、この四角の穴に投球すればキャッチボールも十分可能。重量丸座６は、倒れ防止のオモリで、カンカークイ７、も必要時安全上使用、スポーツネットの大型用で、設置と撤去と収納がしやすい。
【００１９】
図４は平面図である。両方の伸縮主パイプ３より、引っ張りロープ２を介して固定され、ネット１が張られその後方に丸穴付網カゴ４−１、４−２、４−３を配し、重量丸座６で抑えられ、アンカークイ７も固定され、強風時の倒壊防止と全体の補強である。
【００２０】
図５は底面図で、８は主柱パイプ丸座で、その上に重量丸座６が置かれ安定した状態がわかる。数字４−１、５、４−５、７は図３、４の通りである。
【００２１】
図６は左側面図で、右側面図と同じであり図は両方を共有する。９は主柱パイプ（下）で、主柱パイプ３が中に納まり、伸縮され高さを上下固定ネジ１０が２ヶで安全上固定する作りである。数字、７、６は図３の通りである。
【００２２】
図７は伸縮主柱パイプ、９と３の拡大図で、１１は、取っ手で主柱パイプ、３と９の両方につけ、引っ張りロープ２の固定と収納時の手によるにぎりやすさの取っ手になっており、図８は、主柱パイプ３、と９の斜視図で、固定ネジ１０の先は、主柱パイプ３の上下位置穴の中に入り、上下がしっかり安定する構造である。
【００２３】
図９は重量丸座正面図で、図１０は、重量丸座６の斜視図で、１２はマジックテープ（登録商標）で、主柱パイプに入れた後、閉じて安定させ、重量丸座６の袋は２重となっており、内側の袋に鉄粉１３が入り、重量を得ている。
【００２４】
図１１は、袋入りオモリで、鉄粉１３入りの２重袋をしぼりゴム１５で締め、吊り金具１６がついており、その先にロープでしばり、ネット１の倒れ防止の補強で主に、ビル屋上等、アンカークイ７が使用できない場所に使用する。
【００２５】
図１２は、主柱パイプの応用で、バレーボール用ネット１７の姿図で、図１３はテニス用ネット１８の姿図である。
【００２６】
図1４は、バッテリースタンド使用時平面図で、１９は上部、半円形パイプに球２０をつけた長尺ヒモ２１が取り付けられ、図２の姿図の通り、球をバットで打てば、球と共に長尺ヒモが伸びて飛び出る様、パイプ１９は左カーブとなっている。又、１９のパイプを右向きにすれば、左打ちの人にも利用しやすい。
【００２７】
図１５は、バッテリースタンド斜視は拡大図で、２２の差込みパイプが２５の主柱の中に設けられ、上下しやすい作りで、上下固定ネジ１０で３ヶ所固定する。２３はつなぎヒモで、１９の半円形パイプとバッティング主柱パイプ２５をつなぎ、収納時に紛失しない様にする為で、点線の様になる。大型の装置は、１９半円パイプが折れ曲る構造とする。
【００２８】
図1６は、図１５のバッテリースタンドの拡大平面図である。図１７は上部半円パイプ１９を、２２の差し込みパイプに差し込み斜視図で、２６のパイプ内止め金に組み込んだもので、図１８の半円型パイプ割り図の半円鉄パイプ１９を使用する。
【００２９】
図１９は、バネ式長ヒモ吊り下げ金具装着拡大図で一部半円型パイプ19の中に17の先が
少い大きい丸めの穴起の所に、バネ式長ヒモ吊り下げ金具が掛けられているが球が打たれれば、離れやすい作りで、28のバネ式は伸縮性長ヒモ29のどの位置にも移動が可能である。穴起金具27は、パイプ19の中でビス圧着止めされており安全性もある。
【００３０】
図２０、ボール入れ網カゴ図で、球を入れる前のボール入れ網カゴの図で球の種類により網サイズ材質を替え使用する事で球の実際の感触と飛距離をあげる効果が得られる。
【００３１】
図２１は、網入りボール30と締めゴム31の斜視図である。網入り球32の状態を現す。
【００３２】
図２２は伸縮性長ヒモ全体図で、長さは野球やソフトボール、ゴルフボールと用途に応じて適宜サイズに決めヒモ締輪33、半円パイプ19の根元のアイボルトに掛け固定する。長ヒモは、伸縮性でも、それ以外のヒモでも良いが、引っ張り強度のあるヒモとし、これによりバットやゴルフクラブで強打しても、球は、ヒモの長さでの飛距離しか届かず、球の紛失や安全性の保持も可能である。
【産業上の利用可能性】
【００３３】
現在も一部には少年野球チームもありスポーツとして維持されているが、スポーツの種類が多様化し、更にはテレビゲームの出現で内向性型の少年、少女が増加。これが視力、体力の低下の人口増加に至っている面も一部には否定できず、更には高齢化人口増による体力向上も必要である。その為には、1人又は少人数でも練習やプレーが高度に多種類応用でき、場所も狭いスペースからビル屋上でもよく、機具、用具も設営、撤去から収納まで1人か2人ででき、手軽に球やボールを利用。楽しさと体力増強にも役立つ、今回の「バッティングスタンドを添えた多目的スポーツネット」の発明により、年齢制限なく多目的に役立つ装置で、全国的な普及も可能でスポーツ用品の産業振興にも大きくプラス効果が期待できる。
【図面の簡単な説明】
【００３４】
【図１】スポーツネットの正面姿図
【図２】バッテリースタンドの正面姿図
【図３】背面図
【図４】平面図
【図５】底面図
【図６】左側面図（右側面図と同じ）
【図７】伸縮主柱パイプ拡大図
【図８】伸縮主柱パイプ斜視図
【図９】重量丸座、正面図
【図１０】重量丸座、斜視図
【図１１】袋入りオモリ
【図１２】バレーボール用ネット姿図
【図１３】テニス用ネット姿図
【図１４】バッテリースタンド使用時平面図
【図１５】バッテリースタンド斜視拡大図
【図１６】バッテリースタンド拡大平面図
【図１７】差し込み斜視図
【図１８】半円型パイプ割り図
【図１９】バネ式長ヒモ吊り下げ金具装着拡大図
【図２０】ボール入れ網カゴ図
【図２１】網入りボールと締めゴムの斜視図
【図２２】伸縮性長ヒモ全体図
【符号の説明】
【００３５】
ネット
引っ張りロープ
伸縮式主柱パイプ
４．４−１〜４−５は網カゴ付丸穴
５．網カゴ付四角穴
６．重量丸座
７．アンカークイ
８．主柱パイプ丸座
９．主柱パイプ（下）
10．上下固定ネジ
11．取っ手
12．マジックテープ（登録商標）
13．鉄粉
14．袋入りオモリ
15．しぼりゴム（大）
16．つり金具
17．バレーボール用ネット
18．テニス用ネット
19．上部半円型パイプ
20．球（ボール）
21．長尺ヒモ
22．差し込みパイプ
23．つなぎヒモ
24．バッティング丸座
25．バッティング主柱パイプ
26．パイプ内止め金
27．突起金具
28．バネ式長ヒモ吊り下げ金具
29．伸縮性長ヒモ
30．ボール入れ網カゴ
31．締めゴム
32．網入り球
33．ヒモ締輪
【図１】
2006340738.tif 000003
【図２】
2006340738.tif 000004
【図３】
2006340738.tif 000005
【図４】
2006340738.tif 000006
【図５】
2006340738.tif 000007
【図６】
2006340738.tif 000008
【図７】
2006340738.tif 000009
【図８】
2006340738.tif 000010
【図９】
2006340738.tif 000011
【図１０】
2006340738.tif 000012
【図１１】
2006340738.tif 000013
【図１２】
2006340738.tif 000014
【図１３】
2006340738.tif 000015
【図１４】
2006340738.tif 000016
【図１５】
2006340738.tif 000017
【図１６】
2006340738.tif 000018
【図１７】
2006340738.tif 000019
【図１８】
2006340738.tif 000020
【図１９】
2006340738.tif 000021
【図２０】
2006340738.tif 000022
【図２１】
2006340738.tif 000023
【図２２】
2006340738.tif 000024